(57)【要約】【課題】プラグの制御器からの脱落を防止可能であり、且つ制御器にプラグを正確に挿入可能であるプラグ抜出防止構造付き制御器を提供する。【解決手段】挿入孔と、前記挿入孔に脱着自在に挿入可能なプラグと、を有するプラグ抜出防止構造付き制御器において、前記制御器の挿入孔に応じてプラグ抜出防止構造が組付けてあり、前記プラグ抜出防止構造は前記制御器にある挿入孔に応じて切り欠が設けてあり、前記切り欠は、前記プラグに対応し、前記プラグの前記挿入孔からの抜出を拘束可能であることを特徴とする。【選択図】図３
2008270060.tif 000002
【特許請求の範囲】
【請求項１】
挿入孔と、前記挿入孔に脱着自在に挿入可能なプラグとを有するプラグ抜出防止構造付き制御器において、前記制御器の挿入孔に応じてプラグ抜出防止構造が組付けてあり、前記プラグ抜出防止構造は前記制御器にある挿入孔に応じて切り欠が設けてあり、前記切り欠は、前記プラグに対応し、前記プラグの前記挿入孔からの抜出を拘束可能であることを特徴とする、プラグ抜出防止構造付き制御器。
【請求項２】
前記プラグの周縁には立設短壁が設けてあり、前記プラグ抜出防止構造にある切り欠が前記プラグにある立設短壁を係止し拘束することを特徴とする、請求項１に記載のプラグ抜出防止構造付き制御器。
【請求項３】
前記制御器には位置決め用窪みが少なくとも一つ設けてあり、前記位置決め用窪みの窪み方向が前記制御器にある挿入孔の挿入方向と交差し、前記プラグ抜出防止構造には、前記制御器にある位置決め用窪みの数量および形状に応じる位置決め用突起が設けてあり、且つプラグ抜出防止構造は前記制御器に脱着自在に組付けられることを特徴とする、請求項１に記載のプラグ抜出防止構造付き制御器。
【請求項４】
前記制御器にある位置決め用窪みの窪み方向は前記制御器にある挿入孔の挿入方向と垂直することを特徴とする、請求項３に記載のプラグ抜出防止構造付き制御器。
【請求項５】
前記制御器の両端には位置決め用窪みがそれぞれ一つ設けてあり、且つ前記プラグ抜出防止構造の両端にも位置決め用突起がそれぞれ一つ設けてあることを特徴とする、請求項３に記載のプラグ抜出防止構造付き制御器。
【発明の詳細な説明】
【技術分野】
【０００１】
本発明は、制御器に係り、特に、プラグ抜出防止構造付き制御器に関するものである。
【背景技術】
【０００２】
目下、プラグの制御器にある挿入孔からの抜き出しを防止するためのプラグ抜出防止構造は数種類あり、そのうちに二種類を挙げて説明する。図１と図２に示すように、図１のプラグ抜出防止構造は、一つの上ストッパー１０と、一つの下ストッパー２０とを有し、上ストッパー１０は、一端が下ストッパー２０の一端と連結して一体になり、他端にはフック２１と対応する係止溝１１が設けてあり、上ストッパー１０の一側には下ストッパー２０に伸びた止め片１２が設けてある。
【０００３】
周縁に立設短壁Ａ１を有するプラグＡが制御器の挿入孔に挿入された場合には、上ストッパー１０の係止溝１１と、下ストッパー２０のフック２１との係合によりプラグ抜出防止構造が制御器に位置決められ、上ストッパー１０の止め片１２と、プラグＡの立設短壁Ａ１との合わせにより、プラグＡが拘束されて制御器の挿入孔から抜き出すことができない。
【０００４】
しかしながら、このようなプラグ抜出防止構造は、上ストッパー１０の係止溝１１と、下ストッパー２０のフック２１との係合により制御器に位置決められるので、脱着作業が簡単にできなく、且つ脱着作業を多数回に実施した後、下ストッパー２０が変形し易く、更に、下ストッパー２０が断裂することもあった。
【０００５】
また、別の従来のプラグ抜出防止構造は、図２に示すように、プラグＣには、制御器Ｂにある挿入孔Ｂ１に応じて係止ピンＣ１が二つ設けてあり、前記二つの係止ピンＣ１には一つのフックＣ２がそれぞれ設けてあり、挿入孔Ｂ１には、前記二つの係止ピンＣ１のフックＣ２に応じて貫通孔Ｂ２が二つ成形してあり、挿入孔Ｂ１にプラグＣを挿入した場合には、プラグＣの二つの係止ピンＣ１のフックＣ２が挿入孔Ｂ１の二つの貫通孔Ｂ２にそれぞれ係合し位置決められるので、プラグを制御器Ｂの挿入孔Ｂ１から抜き出すことができない。
【０００６】
しかしながら、このようなプラグ抜出防止構造は、特定のプラグＣと制御器Ｂとを使用することが必要であり、一般のプラグは使用できなく、且つプラグＣの二つの係止ピンＣ１のフックＣ２の位置決めを予め解除しないとプラグＣを抜き出すことができなく、だから、プラグの脱着作業は極めて面倒であり、また、前記二つの係止ピンＣ１のフックＣ２を位置決めるために、制御器Ｂの挿入孔Ｂ１に二つの貫通孔Ｂ２を開設することが必要であるが、挿入孔Ｂ１は制御器Ｂの表面から突出することが必要になり、そうすると、スペースが掛られ、見栄えも良くない。
【発明の開示】
【発明が解決しようとする課題】
【０００７】
本発明の主な目的は、プラグの制御器からの脱落を防止可能なプラグ抜出防止構造付き制御器を提供することにある。
【０００８】
本発明の次の目的は、制御器にプラグを正確に挿入可能なプラグ抜出防止構造付き制御器を提供することにある。
【課題を解決するための手段】
【０００９】
上記目的を達成するためになされた本願の発明は、挿入孔と、前記挿入孔に脱着自在に挿入可能なプラグと、を有するプラグ抜出防止構造付き制御器において、前記制御器の挿入孔に応じてプラグ抜出防止構造が組付けてあり、前記プラグ抜出防止構造は前記制御器にある挿入孔に応じて切り欠が設けてあり、前記切り欠は、前記プラグに対応し、前記プラグの前記挿入孔からの抜出を拘束可能であることを特徴とするプラグ抜出防止構造付き制御器。
【００１０】
本願の発明では、前記プラグの周縁には立設短壁が設けてあり、前記プラグ抜出防止構造にある切り欠が前記プラグにある立設短壁を係止し拘束することを特徴とする請求項１に記載のプラグ抜出防止構造付き制御器であることを要旨としている。
【００１１】
本願の発明では、前記制御器には位置決め用窪みが少なくとも一つ設けてあり、前記位置決め用窪みの窪み方向が前記制御器にある挿入孔の挿入方向と交差し、前記プラグ抜出防止構造には、前記制御器にある位置決め用窪みの数量および形状に応じる位置決め用突起が設けてあり、且つプラグ抜出防止構造は前記制御器に脱着自在に組付けられることを特徴とする請求項１に記載のプラグ抜出防止構造付き制御器であることを要旨としている。
【００１２】
本願の発明では、前記制御器にある位置決め用窪みの窪み方向は前記制御器にある挿入孔の挿入方向と垂直することを特徴とする請求項３に記載のプラグ抜出防止構造付き制御器であることを要旨としている。
【００１３】
本願の発明では、前記制御器の両端には位置決め用窪みがそれぞれ一つ設けてあり、且つ前記プラグ抜出防止構造の両端にも位置決め用突起がそれぞれ一つ設けてあることを特徴とする請求項３に記載のプラグ抜出防止構造付き制御器であることを要旨としている。
【発明の効果】
【００１４】
本発明のプラグ抜出防止構造付き制御器によれば、プラグの制御器からの脱落を防止可能であり、且つ制御器にプラグを正確に挿入可能である効果を有する。
【発明を実施するための最良の形態】
【００１５】
以下、添付図面を参照して本発明の好適な実施の形態を詳細に説明する。
【００１６】
まず、図３から図７を参照する。図３から図７に示すのは本発明のプラグ抜出防止構造付き制御器である。図３と図４に示すのは本発明のプラグ抜出防止構造が制御器に組み付けられる実施例である。
【００１７】
本発明のプラグ抜出防止構造付き制御器３０は、若干の挿入孔３１と、前記挿入孔３１に脱着自在に挿入可能なプラグＳとを有し、この実施例において、前記制御器３０の両端には位置決め用窪み３２がそれぞれ一つ設けてあり、前記各位置決め用窪み３２の窪み方向が前記制御器にある挿入孔の挿入方向と垂直し、また、前記制御器３０には伸び方向が互いに反対する凸部３３が設けてあり、前記各凸部３３の伸び方向は挿入孔の挿入方向と垂直する。
【００１８】
プラグ抜出防止構造４０は、制御器３０の挿入孔３１に応じて制御器３０に組み付けられ、且つ前記制御器３０にある挿入孔３１に応じて切り欠４１が設けてあり、前記切り欠４１は、前記プラグＳの形状に対応し、前記プラグＳの前記挿入孔３１からの抜出を拘束可能であり、本実施例では、図５に示すように、プラグ抜出防止構造４０の切り欠４１の形状はプラグＳの外縁とよく似ており、また、プラグ抜出防止構造４０には、制御器３０の二つの位置決め用窪みに応じて位置決め用突起４２が二つ設けてあり、且つ制御器３０の二つの凸部３３に応じて凹部４３が二つ成形してあり、すなわち、プラグ抜出防止構造４０は、位置決め用突起４２と凹部４３とが制御器３０の位置決め用窪み３２と凸部３３とにそれぞれ合わせられることにより、制御器３０に脱着可能に組付可能である。
【００１９】
次に、本発明のプラグ抜出防止構造付き制御器３０の使用状態を詳細に説明する。前記制御器３０の前記挿入孔３１にプラグＳを挿入する場合には、プラグ抜出防止構造４０が制御器３０に組み付けられており、だから、プラグ抜出防止構造４０の切り欠４１により、プラグＳが制御器３０挿入孔３１内に拘束される。
【００２０】
本実施例では、図６と図７に示すように、制御器３０の前記各位置決め用窪み３２の窪み方向が前記制御器３０にある挿入孔３１の挿入方向と垂直し、また、前記制御器３０にある各凸部３３の伸び方向は挿入孔３１の挿入方向と垂直するので、制御器３０にプラグ抜出防止構造４０を組付ける場合には、プラグ抜出防止構造４０の位置決め用突起４２と凹部４３とが制御器３０の位置決め用窪み３２と凸部３３とにそれぞれ合わせられるので、プラグ抜出防止構造４０の組付方向が挿入孔３１の挿入方向と垂直するようになり、だから、周縁に立設短壁Ｓ１を有するプラグＳが挿入孔３１に挿入されプラグ抜出防止構造４０が制御器３０に組付けられた場合には、プラグ抜出防止構造４０の切り欠４１がプラグＳの立設短壁Ｓ１を係止可能であり、そうすると、プラグＳの立設短壁Ｓ１は、制御器３０の挿入孔３１と、プラグ抜出防止構造４０の切り欠４１との間に拘束され、且つプラグＳの抜出方向はプラグ抜出防止構造４０の脱着方向と垂直するので、プラグＳを抜き出している場合には、プラグＳの立設短壁Ｓ１がプラグ抜出防止構造４０の切り欠４１に規制され抜出不能になる。
【００２１】
上記から明らかなように、挿入孔３１にプラグＳを挿入する場合には、制御器３０に組み付けられたプラグ抜出防止構造４０の切り欠４１にてプラグＳを制御器３０とプラグ抜出防止構造４０との間に拘束可能であり、このような構成により、プラグＳを制御器３０の挿入孔３１から抜出すことができないので、プラグＳの挿入孔３１からの脱落を防止することができる。
【００２２】
また、プラグ抜出防止構造４０の切り欠４１がプラグＳと対応しプラグＳを拘束するので、制御器３０の挿入孔３１にプラグＳを正確に挿入しないと、プラグ抜出防止構造４０の切り欠４１をプラグＳに合うことができなく、そしてプラグ抜出防止構造４０を制御器３０に組付けることもできなく、だから、制御器にプラグを正確に挿入するようにする目的を達成することができる。
【００２３】
また、本実施例は凹凸合せ方式によりプラグ抜出防止構造４０を制御器３０に組付けるので、脱着作業は極めて便利であり、工具は一切使用必要ない。
【００２４】
また、プラグ抜出防止構造４０は切り欠４１にてプラグを拘束するので、適用可能なプラグの種類は多くなり、従来のように特定のプラグおよび制御器を使用することが必要なくなる。
【００２５】
また、制御器３０にプラグ抜出防止構造４０を組付けた後に、全体の見栄えが良く、制御器３０に挿入されたプラグＳがプラグ抜出防止構造４０と制御器３０との間に隠され、従来のように挿入孔が外側に突出することはなくなる。
【００２６】
また、図８から図１０を参照する。図８から図１０に示すのは本発明のプラグ抜出防止構造４０の別の実施例であって、切り欠４１が挿入孔３１に対応し、一端が制御器３０の挿入孔３１の近傍に旋回自在に枢着され、他端が二つの弾性係止具４４を有し、制御器３０には、プラグ抜出防止構造４０の弾性係止具４４の数量および形状に応じる係合部３４が成形され、プラグ抜出防止構造４０の弾性係止具４４と、制御器３０の係合部３４との合わせにより、旋回可能なプラグ抜出防止構造４０が制御器３０に組み付けられる。
【００２７】
プラグ抜出防止構造４０を旋回し開けて周縁に立設短壁Ｓ１を有するプラグＳを制御器３０の挿入孔３１に挿入した場合には、プラグ抜出防止構造４０を挿入孔３１に旋回して、プラグ抜出防止構造４０の切り欠４１をプラグＳに合せて、プラグ抜出防止構造４０の弾性係止具４４が制御器３０の係合部３４に係止され、そうすると、プラグＳの立設短壁Ｓ１がプラグ抜出防止構造４０の切り欠４１に拘束され、プラグＳの制御器３０にある挿入孔３１からの脱落を防止することができる。
【図面の簡単な説明】
【００２８】
【図１】従来のプラグ抜出防止構造の概略図である。
【図２】従来の別のプラグ抜出防止構造の概略図である。
【図３】本発明の分解斜視図である。
【図４】本発明の組合状態の斜視図である。
【図５】本発明のプラグ抜出防止構造の位置決め用窪みと位置決め用突起とを示す概略図である。
【図６】制御器に組み付けられた本発明のプラグ抜出防止構造にてプラグを拘束する状態を示す概略図である。
【図７】図６のものを別の視点から見た概略図である。
【図８】本発明のプラグ抜出防止構造が制御器に枢着された状態を示す概略図である。
【図９】図８のプラグ抜出防止構造を旋回してプラグを制御器に挿入した状態を示す概略図である。
【図１０】図９のプラグ抜出防止構造を閉じた状態を示す概略図である。
【符号の説明】
【００２９】
１０      上ストッパー
１１      係止溝
１２      止め片  
２０      下ストッパー
２１      フック  
Ａ        プラグ
Ａ１      立設短壁
Ｂ        制御器
Ｂ１      挿入孔
Ｂ２      貫通孔
Ｃ        プラグ
Ｃ１      係止ピン
Ｃ２      フック  
３０      制御器
３１      挿入孔  
３２      位置決め用窪み
３３      凸部
３４      係合部
４０      抜出防止構造  
４１      切り欠
４２      位置決め用突起
４３      凹部
４４      弾性係止具
Ｓ        プラグ
Ｓ１      立設短壁
【図１】
2008270060.tif 000003
【図２】
2008270060.tif 000004
【図３】
2008270060.tif 000005
【図４】
2008270060.tif 000006
【図５】
2008270060.tif 000007
【図６】
2008270060.tif 000008
【図７】
2008270060.tif 000009
【図８】
2008270060.tif 000010
【図９】
2008270060.tif 000011
【図１０】
2008270060.tif 000012